【手続補正書】
【提出日】平成17年3月22日(2005.3.22)
【手続補正１】
【補正対象書類名】明細書
【補正対象項目名】発明の名称
【補正方法】変更
【補正の内容】
【発明の名称】印刷サーバ装置および印刷システム
【手続補正２】
【補正対象書類名】明細書
【補正対象項目名】特許請求の範囲
【補正方法】変更
【補正の内容】
【特許請求の範囲】
【請求項１】
通信用端末機器と、印刷サーバ装置とを有する印刷システムであって、
前記通信用端末機器は、印刷ジョブに係る印刷データファイルのデータ形式を指定する手段と、前記データ形式が指定された印刷ジョブを前記印刷サーバ装置に対して送信する手段とを備え、
前記印刷サーバ装置は、前記印刷ジョブを前記通信用端末機器から取得する印刷ジョブ取得手段と、前記印刷ジョブに係る印刷データファイルのデータ形式を識別するファイルフォーマット識別手段と、前記ファイルフォーマット識別手段で識別されたデータ形式に応じて、前記印刷データファイルを、出力処理を実行するためのデータ形式に変換するデータ形式変換手段と、データ形式を変換された前記印刷データに基づいて画像を形成して記録材上に出力する画像形成手段とを備えてなることを特徴とする印刷システム。
【請求項２】
前記印刷サーバ装置の印刷ジョブ取得手段は、取得された印刷ジョブが前記印刷データファイルの所在を示すファイル指定情報を含むものである場合に、当該ファイル指定情報に基づいて前記印刷データファイルを取得することを特徴とする請求項１に記載の印刷システム。
【請求項３】
前記印刷サーバ装置の印刷ジョブ取得手段は、前記通信用端末機器からの要求に対して前記印刷データファイルの所在を示すファイル指定情報を含む前記印刷ジョブを発行するための印刷ジョブ形成用Ｗｅｂデータを提供する機能を有すると共に、当該印刷ジョブ形成用Ｗｅｂデータにより形成された印刷ジョブに係る印刷データファイルを、ファイル指定情報に基づいて取得する機能を有することを特徴とする請求項１に記載の印刷システム。
【請求項４】
前記印刷サーバ装置は、前記通信用端末機器に対して、前記印刷データファイルのデータ形式として指定可能なデータ形式に関する情報を送信することを特徴とする請求項１乃至請求項３のいずれか１つに記載の印刷システム。
【請求項５】
印刷ジョブを外部装置から取得するプリントサーバ機能と、前記印刷ジョブについての出力処理を行うプリント機能とを備えた印刷サーバ装置であって、
前記印刷ジョブに係る印刷データファイルにつき前記外部装置で指定されたデータ形式を識別するファイルフォーマット識別手段と、前記ファイルフォーマット識別手段で識別されたデータ形式に応じて、前記印刷データファイルを、出力処理を実行するためのデータ形式に変換するデータ形式変換手段と、データ形式を変換された前記印刷データに基づいて画像を形成して記録材上に出力する画像形成手段とを備えてなることを特徴とする印刷サーバ装置。
【請求項６】
印刷ジョブを取得する印刷ジョブ取得手段を更に有し、当該印刷ジョブ取得手段は、取得された前記印刷ジョブが印刷データファイルの所在を示すファイル指定情報を含むものである場合に、当該ファイル指定情報に基づいて前記印刷データファイルを取得することを特徴とする請求項５に記載の印刷サーバ装置。
【請求項７】
印刷ジョブを取得する印刷ジョブ取得手段を更に有し、当該印刷ジョブ取得手段は、前記外部装置からの要求に対して印刷データファイルの所在を示すファイル指定情報を含む前記印刷ジョブを発行するための印刷ジョブ形成用Ｗｅｂデータを提供する機能を有すると共に、当該印刷ジョブ形成用Ｗｅｂデータにより形成された印刷ジョブに係る印刷データファイルを、ファイル指定情報に基づいて取得する機能を有することを特徴とする請求項５に記載の印刷サーバ装置。
【請求項８】
前記外部装置に対して、前記印刷データファイルのデータ形式として指定可能なデータ形式に関する情報を送信することを特徴とする請求項５乃至請求項７のいずれか１つに記載の印刷サーバ装置。
【手続補正３】
【補正対象書類名】明細書
【補正対象項目名】０００１
【補正方法】変更
【補正の内容】
【０００１】
【発明の属する技術分野】
本発明は印刷サーバ装置および印刷システムに関し、より詳しくは、プリンタサーバ機能を有する、例えばプリンタ、複写機、ファクシミリおよびこれらの機能が複合化された画像形成装置よりなる印刷サーバ装置、およびこの印刷サーバ装置にネットワークを利用して印刷ジョブを転送して出力するための印刷システムに関する。
【手続補正４】
【補正対象書類名】明細書
【補正対象項目名】０００９
【補正方法】変更
【補正の内容】
【０００９】
【発明が解決しようとする課題】
本発明は、以上のような事情に基づいてなされたものである。
本発明の第１の目的は、煩雑な印刷条件設定を行うことなしに、所期の印刷処理を確実に行うことができる印刷サーバ装置および印刷システムを提供することにある。
本発明の第２の目的は、印刷データファイルを印刷処理するに際して必要とされる、例えばアプリケーションソフトやデバイスドライバなどを、印刷ジョブの送信側および受信側のクライアントの各々が所有することなしに、所期の印刷処理を確実に行うことができる印刷サーバ装置および印刷システムを提供することにある。
本発明の第３の目的は、適宜のＷｅｂブラウザ機能を有する通信用端末機器であってそれ自体が印刷処理を実行させるための機能を有さないものを利用して、所期の印刷処理を確実に行うことができる印刷サーバ装置および印刷システムを提供することにある。
【手続補正５】
【補正対象書類名】明細書
【補正対象項目名】００１０
【補正方法】変更
【補正の内容】
【００１０】
【課題を解決するための手段】
本発明の印刷システムは、通信用端末機器と、印刷サーバ装置とを有する印刷システムであって、前記通信用端末機器は、印刷ジョブに係る印刷データファイルのデータ形式を指定する手段と、データ形式が指定された印刷ジョブを前記印刷サーバ装置に対して送信する手段とを備え、
前記印刷サーバ装置は、印刷ジョブを前記通信用端末機器から取得する印刷ジョブ取得手段と、前記印刷ジョブに係る印刷データファイルのデータ形式を識別するファイルフォーマット識別手段と、前記ファイルフォーマット識別手段で識別されたデータ形式に応じて、前記印刷データファイルを、出力処理を実行するためのデータ形式に変換するデータ形式変換手段と、データ形式を変換された前記印刷データに基づいて画像を形成して記録材上に出力する画像形成手段とを備えてなることを特徴とする。
【手続補正６】
【補正対象書類名】明細書
【補正対象項目名】００１１
【補正方法】変更
【補正の内容】
【００１１】
本発明の印刷システムにおいては、前記印刷サーバ装置の印刷ジョブ取得手段は、取得された印刷ジョブが前記印刷データファイルの所在を示すファイル指定情報を含むものである場合に、当該ファイル指定情報に基づいて前記印刷データファイルを取得することが好ましい。
【手続補正７】
【補正対象書類名】明細書
【補正対象項目名】００１２
【補正方法】変更
【補正の内容】
【００１２】
また、前記印刷サーバ装置の印刷ジョブ取得手段は、前記通信用端末機器からの要求に対して前記印刷データファイルの所在を示すファイル指定情報を含む前記印刷ジョブを発行するための印刷ジョブ形成用Ｗｅｂデータを提供する機能を有すると共に、当該印刷ジョブ形成用Ｗｅｂデータにより形成された印刷ジョブに係る印刷データファイルを、ファイル指定情報に基づいて取得する機能を有することが好ましい。
【手続補正８】
【補正対象書類名】明細書
【補正対象項目名】００１３
【補正方法】変更
【補正の内容】
【００１３】
さらに、前記印刷サーバ装置は、前記通信用端末機器に対して、前記印刷データファイルのデータ形式として指定可能なデータ形式に関する情報を送信する構成とすることができる。
【手続補正９】
【補正対象書類名】明細書
【補正対象項目名】００１４
【補正方法】変更
【補正の内容】
【００１４】
本発明の印刷サーバ装置は、印刷ジョブを外部装置から取得するプリントサーバ機能と、前記印刷ジョブについての出力処理を行うプリント機能とを備えた印刷サーバ装置であって、
前記印刷ジョブに係る印刷データファイルにつき前記外部装置で指定されたデータ形式を識別するファイルフォーマット識別手段と、前記ファイルフォーマット識別手段で識別されたデータ形式に応じて、前記印刷データファイルを、出力処理を実行するためのデータ形式に変換するデータ形式変換手段と、データ形式を変換された前記印刷データに基づいて画像を形成して記録材上に出力する画像形成手段とを備えてなることを特徴とする。
【手続補正１０】
【補正対象書類名】明細書
【補正対象項目名】００１５
【補正方法】変更
【補正の内容】
【００１５】
本発明の印刷サーバ装置においては、印刷ジョブを取得する印刷ジョブ取得手段を更に有し、当該印刷ジョブ取得手段は、取得された前記印刷ジョブが印刷データファイルの所在を示すファイル指定情報を含むものである場合に、当該ファイル指定情報に基づいて前記印刷データファイルを取得することが好ましい。
【手続補正１１】
【補正対象書類名】明細書
【補正対象項目名】００１６
【補正方法】変更
【補正の内容】
【００１６】
また、印刷ジョブを取得する印刷ジョブ取得手段を更に有し、当該印刷ジョブ取得手段は、前記外部装置からの要求に対して印刷データファイルの所在を示すファイル指定情報を含む前記印刷ジョブを発行するための印刷ジョブ形成用Ｗｅｂデータを提供する機能を有すると共に、当該印刷ジョブ形成用Ｗｅｂデータにより形成された印刷ジョブに係る印刷データファイルを、ファイル指定情報に基づいて取得する機能を有することが好ましい。
【手続補正１２】
【補正対象書類名】明細書
【補正対象項目名】００１７
【補正方法】変更
【補正の内容】
【００１７】
さらに、前記外部装置に対して、前記印刷データファイルのデータ形式として指定可能なデータ形式に関する情報を送信する構成とすることができる。
【手続補正１３】
【補正対象書類名】明細書
【補正対象項目名】００１８
【補正方法】削除
【補正の内容】
【手続補正１４】
【補正対象書類名】明細書
【補正対象項目名】００２２
【補正方法】変更
【補正の内容】
【００２２】
上記構成の印刷システムによれば、上記のような印刷サーバ装置を有することにより、煩雑な設定操作を行うことなしに印刷処理を行うことができるので、高い操作性および利便性を得ることができ、しかも印刷サーバ装置に印刷処理を実行させるための通信用端末機器の選択の自由度が高くなり、パーソナルコンピュータ以外の他の通信用端末機器を利用するユーザでも印刷処理を実行することができ、印刷市場の拡大化を図ることができる。
【手続補正１５】
【補正対象書類名】明細書
【補正対象項目名】００２４
【補正方法】変更
【補正の内容】
【００２４】
【発明の実施の形態】
以下、本発明について説明する。
図１は、本発明の印刷システム（以下、「ネットワーク印刷システム」ともいう。）の一例における構成の概略を示すブロック図である。
このネットワーク印刷システムは、各々、同一のネットワーク上に接続された送信側クライアント（１）、受信側クライアント（２）およびデータサーバ１０により構成されており、例えば印刷ジョブを送信側クライアント（１）の通信用端末機器２０から受信側クライアント（２）の印刷サーバ装置３０に出力する場合の構成例が示されている。ここに、送信側クライアント（１）および受信側クライアント（２）は、互いにリモートな位置関係にあっても、ローカルな位置関係にあってもよい。
【手続補正１６】
【補正対象書類名】明細書
【補正対象項目名】００３４
【補正方法】変更
【補正の内容】
【００３４】
本発明のネットワーク印刷システムにおいては、送信側クライアント（１）により作成されたデータファイルを、ネットワークを介して受信してこれを保存すると共に、送信側クライアント（１）および受信側クライアント（２）からの印刷データファイル送信要求に対して、指定されたデータファイルを転送する、ファイルサーバとして機能するデータサーバ１０を利用することが好ましい。ここに、データサーバ１０は、送信側クライアント（１）が所有するものであっても、送信側クライアント（１）および受信側クライアント（２）以外の第三者が所有するものであってもよい。